(57)【要約】【課題】  防塵の目的で装填する従来のダミーカードの占める空間を有効利用し、かつ、紛失しやすいものを収納するための、そのメモリ規格用に設けたスロットに装填するダミーカードを提供する。【解決手段】  PCなどに装備された第１のカード規格に規定された形状の筐体と、第１のカード規格に規定された形状の内部に収容可能な第２のカード規格に規定された形状の物体を、筐体内に保持する装着手段とを備えたことを特徴とするダミーカードとする。【選択図】  図２
2008191700.tif 000002
【特許請求の範囲】
【請求項１】
第１のカード規格に規定された形状の筐体と、
前記第１のカード規格に規定された形状の内部に収容可能な第２のカード規格に規定された形状の物体を、前記筐体内に保持する装着手段と
を備えたことを特徴とするダミーカード。
【請求項２】
前記筐体は、該筐体内に装着可能なアタッチメントと、該アタッチメントを換装可能に装着するアタッチメント装着手段とをさらに備え、
前記装着手段は、前記筐体内に保持された前記アタッチメントに形成されていることを特徴とする、請求項１に記載のダミーカード。
【請求項３】
前記第１のカード規格はPCMCIAで規定されたPCカード規格であることを特徴とする請求項１または２に記載のダミーカード。
【発明の詳細な説明】
【技術分野】
【０００１】
本発明は、運搬時の振動による故障や埃の侵入を防止するために装填する形成部材に関し、特に着脱可能なカード型記憶装置の挿入口に装填するダミーカードに関する。
【背景技術】
【０００２】
情報機器などに着脱可能な半導体メモリの規格が複数提案され、それを読み書き可能なPC（Personal Computer）が増えている。半導体メモリの規格により搭載するメモリのサイズ、形状、大きさが異なるものの、PCによっては複数のメモリ規格に準拠したスロットを複数設け、別規格に基づいて作成されたメモリでも読み書きできるものもある。
【０００３】
このとき、半導体メモリをPCに挿入して使用している場合には挿入口が塞がれているため異物混入の心配は無い。一方、挿入していないメモリ規格の挿入口は開放されており、異物の侵入が問題となる場合がある。不使用時の挿入口を塞ぐ可動式のシャッターを設けることも考えられるが往々にしてコスト高となることが多い。このため使用していない挿入口のメモリ規格に合致したダミーカードと呼ばれる成型部材を装填し、簡便に異物の侵入を防止する方法も取られている（特許文献１を参照）。
【０００４】
しかしながらダミーカード自体は装填しておくための単なる形成部材であり、不使用時のメモリ挿入口の異物侵入を防止するだけの機能しかない。軽薄短小化が著しいPCなどの情報機器を考えれば、そのメモリの不使用時であってもその空間を無駄にはできない。
【特許文献１】特開平１０−２２２６１４号公報
【発明の開示】
【発明が解決しようとする課題】
【０００５】
本発明は、防塵の目的で装填する従来のダミーカードの占める空間を有効利用するためのダミーカードを提供する。
【課題を解決するための手段】
【０００６】
本発明のダミーカードは、
第１のカード規格に規定された形状の筐体と、前記第１のカード規格に規定された形状の内部に収容可能な第２のカード規格に規定された形状の物体を、前記筐体内に保持する装着手段とを備えたことを特徴とする。
【発明の効果】
【０００７】
メモリ未使用時に装填するダミーカードの空間を有効利用することができる。
【発明を実施するための最良の形態】
【０００８】
図１は、本実施形態にかかるカード型記憶装置の一例を示す図である。図１では、PC１００、挿入口１０１およびダミーカード１０２が示されている。
【０００９】
PC１００はノート型PCを示しており、ディスプレイとキーボードを備えている。この実施例ではPC１００の向かって右側面の一部を斜視図として表現している。
【００１０】
挿入口１０１は、PC１００の右側面に形成された、カード型記憶装置を挿入するためのスリットである。スリットの奥にはコネクタが設けられており、PC１００でカード型記憶装置を読み書きする場合、これを挿入口１０１に挿入すると記憶装置のコネクタと接触することで電気的な情報のアクセスが可能となる。挿入口１０１の形状は、カード型記憶装置の幅や厚みに基づいて形成されている。通常はカード型記憶装置の厚みに略等しい開口部を有し、使用中は装着したままでも異物侵入などの点で不都合なくPC１００を持ち運べるようになっている。
【００１１】
ダミーカード１０２は、PC１００が備える挿入口１０１に挿入することが可能なカード型記憶装置と略等しい形状をしている。このためカード型記憶装置の替わりとして挿入口１０１に装填することが可能で、装填したままでもPC１００の持ち運びができるものである。本来のカード型記憶装置とは異なり電気的な影響は排除したいことから、素材としてはプラスチック等の絶縁性のある軽量な、しかも素材で作られている。
【００１２】
図２は、本実施形態にかかるダミーカード１０２の一例を示す図である。図２には、PCMCIA(Personal Computer Memory Card International Association)で規定されているPCカードの規格に基づいて構成したダミーカード１０２、カード装着部２００、枠２０１、つめ２０２およびメモリカード２０３が示されている。
【００１３】
カード装着部２００は、PCカード規格よりも小さい形状で規定されているメモリカードを装着できるように形成した凹部である。本実施形態では、PCカード規格よりも小さい形状を備えたメモリカード規格としてSDメモリカード(Secure Digital memory card)を想定している。SDメモリカード規格では、その形状が縦32mm×横24mm×厚さ2.1mmと規定されており、ダミーカード１０２上に２つのカード装着部を設けることができる。メモリカード規格としては他にもmicroSDカード、xDメモリカード、メモリースティック(memory stick)などのようなPCカード規格よりも形状の小さいものであれば形成可能である。
【００１４】
枠２０１は、カード装着部２００の内側に形成された厚み0.5mm程度の枠であり、カード装着部２００に装着されたメモリカードがダミーカード１０２の裏面方向に脱落しないように支持する機能を備えている。ダミーカード１０２の裏面全体に盤面を形成せず、裏面から押し出せるよう枠２０１のようにカード装着部２００の周辺のみに盤面を形成することで、装着されたメモリカードをダミーカード１０２から外しやすいという効果もある。
【００１５】
つめ２０２は、カード装着部２００の内側に形成された小さなつめ状の突起であり、メモリカードがカード装着部２００に装着された場合、メモリカード側面に掛かることでメモリカードが容易に脱落しないようにする機能がある。また、つめ２０２は、カード装着部２００の裏面から装着済みのメモリカードを押し出すと、このメモリカードを容易に外すことが出来る程度の可撓性を有している。
【００１６】
メモリカード２０３は、SDメモリカードの形状を備えたメモリカードである。本実施例では、SDメモリカード規格のメモリカード２０３を２枚ダミーカード１０２と一体となるように装着することができる。
【００１７】
このとき、PC１００がダミーカード１０２の形状に相当するカード型記憶装置を使用しない場合、PC１００が備える挿入口１０１に、メモリカード２０３を装着したダミーカード１０２を挿入して持ち運ぶことで、メモリカード２０３のようなカード型記憶装置を紛失や破壊から守ることができる。また、ダミーカード１０２に内蔵できる大きさのあらゆるものを収納および保持することができる。
【００１８】
カード装着部２００には、そのメモリカードと同等の大きさのものであれば、たとえばSDメモリカードの形状をしたダミーカードであっても良い。この場合にはPCカード形状よりも小さくてより紛失しやすい小さなダミーカードの置き場として利用することもできる。
【００１９】
図３は、本実施形態の第１の変形例にかかるダミーカード３００の一例を示す図である。ダミーカード３００には、ダミーカード１０２のカード装着部２００に相当する場所に、カード装着部３０１が形成されている。
【００２０】
カード装着部３０１は、miniSDメモリカード規格のメモリカードが装着できるような凹部が形成されている。
【００２１】
メモリカード３０２は、miniSDメモリカード規格に準拠したメモリカードである。miniSDメモリカード規格では、その形状が縦21.5mm×横20mm×厚さ1.4mmと規定されている。ダミーカード３００上には、このメモリカード３０２がちょうど装着できるカード装着部３０１と、これとは異なるたとえばSDメモリカードのカード装着部とが設けられている。
【００２２】
このようにダミーカード３００には、装着するメモリカードの規格で定められた大きさが装着できるだけの空間を自由に組み合わせてカード装着部を形成することができる。
【００２３】
図４は、本実施形態の第２の変形例にかかるダミーカード４００の一例を示す図である。図４では、ダミーカード４００、空間４０１およびアタッチメント４０２が示されている。
【００２４】
ダミーカード４００は、カード装着部２００があった場所に空間を設け、ここに換装可能なアタッチメントが組み込めるようになっている。
【００２５】
空間４０１はダミーカード４００に形成された空間領域で、ここにさまざまなアタッチメントが装着できるようになっている。
【００２６】
アタッチメント４０２は、miniSDメモリカード３０２が装着できる凹部を備えたアタッチメントで、ダミーカード４００の空間４０１の場所に装着される。アタッチメント４０２の凹部はminiSDメモリカード規格だけでなく、空間４０１に装着できる大きさを持ったメモリカード形状の凹部とすることができる。
【００２７】
このように構成すると、さまざまなカード規格に準拠するカード型記憶装置をダミーカードに装着して持ち運ぶことが可能となる。
【００２８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２９】
【図１】本実施形態にかかるカード型記憶装置の一例を示す図である。
【図２】本実施形態にかかるダミーカードの一例を示す図である。
【図３】本実施形態の第１の変形例にかかるダミーカードの一例を示す図である。
【図４】本実施形態の第２の変形例にかかるダミーカードの一例を示す図である。
【符号の説明】
【００３０】
１００・・・ＰＣ、１０１・・・挿入口、１０２・・・ダミーカード、カード装着部２００、２０１・・・枠、２０２・・・つめ、２０３・・・メモリカード、３００・・・ダミーカード、３０１・・・カード装着部、３０２・・・メモリカード、４００・・・ダミーカード、４０１・・・空間、４０２・・・アタッチメント
【図１】
2008191700.tif 000003
【図２】
2008191700.tif 000004
【図３】
2008191700.tif 000005
【図４】
2008191700.tif 000006